(57)【特許請求の範囲】
【請求項１】
雌・雄型コネクタハウジング相互の嵌合部分の防水性を確保するための防水パッキンが一方のコネクタハウジング内に装着される防水コネクタであって、前記防水パッキンの外周側に所定長さの抜け止め用の係止片が設けられ、前記係止片を嵌挿する係止孔が前記一方のコネクタハウジング周壁に設けられた防水コネクタにおいて、
前記防水パッキンの挿入経路を構成する前記コネクタハウジング周壁に、前記係止片を押圧する押さえ部の両側に設けられたスリットにより可撓性を有し、前記係止片を押圧する押さえ部を自由端部に有し、前記防水パッキンの挿入性を良くするパッキン係止部材と、
該パッキン係止部材に対向したフード部の基端部分に拡開治具用の案内溝と、
が設けられていることを特徴とする防水コネクタ。
【請求項２】
前記押さえ部の両側部が、傾斜面を備えた治具受け部である請求項１記載の防水コネクタ。
【請求項３】
雌・雄型コネクタハウジング相互の嵌合部分の防水性を確保するための防水パッキンが一方のコネクタハウジング内に装着される防水コネクタであって、前記防水パッキンの外周側に所定長さの抜け止め用の係止片が設けられ、前記係止片を嵌挿する係止孔が前記一方のコネクタハウジング周壁に設けられた防水コネクタへの防水パッキンの装着方法において、
拡開治具上端の脚部に前記一方のコネクタハウジングの案内溝を合わせて押し込むことで、前記脚部先端の斜面を有する挿入部が前記係止片を押圧する押さえ部の治具受け部に当接して、該押さえ部近傍に設けられたパッキン係止部材を前記防水パッキンの挿入経路を拡開する方向に変位させた後、前記防水パッキンが前記押さえ部と干渉することなく前記コネクタハウジング内に押し込まれることを特徴とする防水パッキンの装着方法。
【発明の詳細な説明】
【０００１】
【産業上の利用分野】
本発明は、例えば自動車用ワイヤーハーネスの接続等に好適な防水コネクタに関し、詳しくは雌・雄型コネクタハウジングの嵌合部分の防水性を確保する防水パッキンの防水コネクタへの装着方法に関する。
【０００２】
【従来の技術】
従来、自動車等に使用されている防水コネクタとしては、図８に示すような防水コネクタ１が、実開昭６０−６０８８６号公報等に提案されている。この防水コネクタ１は、雄型接触部１０を有する雌型コネクタハウジング１１と、これに挿入される雄型コネクタハウジング１２とから構成されている。そして、この両コネクタハウジング１１，１２の嵌合部分に防水パッキン１３が装着されるものである。この防水パッキン１３の外周及び内周には、全周に亘って突条１４，１５が設けられている。これらの突条１４，１５が雌型コネクタハウジング１１の内周面及び雄型コネクタハウジング１２の外周面に密着することによって、嵌合部分の防水性が確保されるものである。
【０００３】
また、防水パッキン１３の一端縁には抜け止め用の係止片１６が、例えば対向した２箇所に設けられ、これが雌型コネクタハウジング１１の係止孔１７に挿入されて係止されている。これにより、例えば雌型コネクタハウジング１１から雄型コネクタハウジング１２を引き出す場合にも、防水パッキン１３が雄型ハウジング１２と一緒に抜け出てしまうのを防止することが可能になる。
更に、この防水コネクタ１においては、防水パッキン１３の係止片１６が係止孔１７から抜けるのを防ぐために、係止片１６を押圧する押さえ部１８が雌型コネクタハウジング１１の係止孔１７に隣接して突設されている。これによって、係止片１６に外部から力が作用しても押さえ部１８がストッパーとなり、係止片１６が係止孔１７から不用意に抜け出てしまうのを防止することができる。
【０００４】
【発明が解決しようとする課題】
しかしながら、上述した防水コネクタ１においては、図９に示すように防水パッキン１３を雌型コネクタハウジング１１内に挿入するとき、押さえ部１８に係止片１６が引っ掛かって滑らかに挿入できないという問題が発生している。特に、係止片１６の押さえを強くするために押さえ部１８の隆起高さを高くする程、防水パッキン１３の挿入性が悪くなる。
また、逆に防水パッキン１３の挿入性を良くするために押さえ部１８の隆起高さを低くすると、係止片１６が抜け易くなるという相反する問題が発生する。
【０００５】
本発明の目的は、上記課題に鑑みてなされたものであり、防水パッキンの係止力を確保しつつ、防水パッキンの挿入性の向上が図れる防水コネクタ及び防水パッキンの装着方法を提供することにある。
【０００６】
【課題を解決するための手段】
本発明の上記目的は、雌・雄型コネクタハウジング相互の嵌合部分の防水性を確保するための防水パッキンが一方のコネクタハウジング内に装着される防水コネクタであって、防水パッキンの外周側に所定長さの抜け止め用の係止片が設けられ、係止片を嵌挿する係止孔が一方のコネクタハウジング周壁に設けられた防水コネクタにおいて、防水パッキンの挿入経路を構成するコネクタハウジング周壁に、前記係止片を押圧する押さえ部の両側に設けられたスリットにより可撓性を有し、前記係止片を押圧する押さえ部を自由端部に有し、前記防水パッキンの挿入性を良くするパッキン係止部材と、該パッキン係止部材に対向したフード部の基端部分に拡開治具用の案内溝と、が設けられていることを特徴とする防水コネクタによって達成することができる。
【０００８】
また上記目的は、押さえ部の両側部が傾斜面を備えた治具受け部であることにより達成できる。
【０００９】
また本発明の上記目的は、雌・雄型コネクタハウジング相互の嵌合部分の防水性を確保するための防水パッキンが一方のコネクタハウジング内に装着される防水コネクタであって、防水パッキンの外周側に所定長さの抜け止め用の係止片が設けられ、係止片を嵌挿する係止孔が一方のコネクタハウジング周壁に設けられた防水コネクタへの防水パッキンの装着方法において、拡開治具上端の脚部に前記一方のコネクタハウジングの案内溝を合わせて押し込むことで、前記脚部先端の斜面を有する挿入部が前記係止片を押圧する押さえ部の治具受け部に当接して、該押さえ部近傍に設けられたパッキン係止部材を前記防水パッキンの挿入経路を拡開する方向に変位させた後、前記防水パッキンが前記押さえ部と干渉することなく前記コネクタハウジング内に押し込まれることを特徴とする防水パッキンの装着方法によって達成することができる。
【００１０】
【作用】
本発明に係わる上記構成の防水コネクタにおいては、防水パッキンの挿入経路を構成するコネクタハウジング周壁に係止片を押圧する押さえ部と、傾斜面を備えた治具受け部を自由端部に形成し、可撓性を有したパッキン係止部材が設けられている。
これにより、防水パッキンを挿入する前に防水パッキンの挿入経路を構成するコネクタハウジング周壁に形成されたパッキン係止部材が治具受け部に挿入された治具によりコネクタハウジングの外側方向に変位される。よって、防水パッキンの挿入経路が拡開されることになり防水パッキンが容易に挿入されることになる。
【００１１】
また本発明に係わる上記構成の防水コネクタにおいては、拡開治具上端の脚部に前記一方のコネクタハウジングの案内溝を合わせて押し込むことで、前記脚部先端の斜面を有する挿入部が係止片を押圧する押さえ部の治具受け部に当接して、該押さえ部近傍に設けられたパッキン係止部材を前記防水パッキンの挿入経路を拡開する方向に変位させた後、前記防水パッキンが前記押さえ部と干渉することなく前記コネクタハウジング内に押し込まれる。
これにより、パッキン係止部材が拡開治具によりコネクタハウジングの外側方向に変位された時、この変位に伴って押さえ部が防水パッキンの挿入経路から退避する方向に移動される。よって、防水パッキンの挿入経路が拡開されることになり防水パッキンの挿入性が改善されることになる。
【００１２】
【実施例】
以下、本発明の防水コネクタ及び防水パッキンの装着方法の一実施例を図１乃至図７に基づいて詳細に説明する。なお、従来と同じ部分には同一の符号を付けて詳細な説明は省略する。図１は本発明の防水コネクタの要部を示す断面図（図３のＸ−Ｘ断面）、図２は図１における防水パッキンの平面図、図３は図１における防水コネクタの斜視図、図４は図１におけるＡ矢視図、図５は防水パッキンの装着用治具の斜視図、図６は防水パッキンの装着方法を示す斜視図、図７は装着用治具の挿入時における作用説明図（図３のＸ−Ｘ断面）である。
【００１３】
図１に示すように防水コネクタ１は、雌型コネクタハウジング１１内へ雄型コネクタハウジング１２が嵌合されるように構成されている。この両コネクタハウジング１１，１２の嵌合部に装着される防水パッキン１３は、例えば軟質ゴムなどで筒状に成形されている。この防水パッキン１３の一端縁には、図２に示すような対向した位置に所定長さの一対の係止片１６が外側方向に向けて突設されている。また、この防水パッキン１３の内周及び外周上には、それぞれ突条１４，１５が全周に亘って設けられている。
【００１４】
また、雌型コネクタハウジング１１（以下、単にハウジング１１と言う。）には、防水パッキン１３の係止片１６を係止するための係止孔１７が設けられ、この係止孔１７に隣接して略同一長さの抜け止め手段である押さえ部１９が内側に向けて突設されている。
更に、図３に示すようにハウジング１１の押さえ部１９の両側には、係止孔１７の端縁から連続した適宜な長さのスリット２０が設けられている。これによって、両スリット２０間のハウジング側壁は、押さえ部１９を自由端とする可撓性を有するパッキン係止部材２１が形成されることになる。このパッキン係止部材２１の内側には、図４に示すように押さえ部１９の両側に傾斜面２３を備えた治具用の治具受け部２２が設けられている。
【００１５】
また、図３に示すようにハウジング１１の外周側のパッキン係止部材２１に対向したフード部の基端部分には、治具用の案内溝２４が設けられている。この案内溝２４は治具によってパッキン係止部材２１をハウジング外側方向に変位させるときに用いられる。即ち、後述する拡開治具３１の挿入部３４が案内溝２４に入り込みパッキン係止部材２１を拡開させる。
よって、パッキン係止部材２１の端部が外側方向に押圧されると、パッキン係止部材２１が弾性変形することで押さえ部１９が防水パッキン１３の通過経路から退避される。したがって、防水パッキン１３が挿入される時、防水パッキン１３の係止片１６が押さえ部１９に引っ掛かる等の干渉されることがなくなり、防水パッキン１３はハウジング１１内に容易に挿入することができる。
【００１６】
また、図５に示すように防水パッキンをコネクタハウジングに装着するための装着治具３０は、拡開治具３１と押込み治具３５とに分かれている。拡開治具３１は、ハウジング１１のパッキン係止部材２１を変位させるためのものであり、矩形状のベ−ス３２の両側に一対の脚部３３，３３が立設されている。各々脚部３３の上部側には、ハウジング１１の治具受け部２２と略同一間隔で先細状の挿入部３４，３４が一対設けられており、治具受け部２２に当接してパッキン係止部材２１を変位させるものである。よって、防水パッキン１３の装着時に、この挿入部３４，３４間に係止片１６が入り込むことになり、後述する押込み治具３５による防水パッキン１３の押込み作業を容易に行うことができる。
また、押込み治具３５は、防水パッキン１３をハウジング１１内に押込むためのものであり、柄３７の一方の端部に把手３６が嵌着され、他方の端部に防水パッキン１３の端面に当接可能なリング状の押圧部３８が設けられている。
【００１７】
次に、この装着治具を用いてハウジング１１内に防水パッキン１３を装着する手順を説明する。図６に示すように、先ずハウジング１１を拡開治具３１上端に取り付ける。この場合、ハウジング１１の案内溝２４を拡開治具３１の脚部３３に合わせて押込むようにする。これにより、図７（Ａ）に示すように拡開治具３１の挿入部３４が案内溝２４に沿って移動し、図中の二点鎖線で示す位置まで挿入されると挿入部３４の外側の斜面３９が治具受け部２４の傾斜面２３に当接する。
【００１８】
更にハウジング１１が挿入されるのに伴って、同図（Ｂ）に示すように挿入部３４の斜面３９が治具受け部２２の傾斜面２３に案内されてハウジング内部に入り込む。これにより、治具受け部２２が挿入部３４によって外側方向に押圧され、パッキン係止部材２１が弾性変形して外側方向に撓まされる。よって、パッキン係止部材２１の先端部にある押さえ部１９が防水パッキン１３の挿入経路から外側に退避させられる。
【００１９】
次に、図６に示すように防水パッキン１３が押込み治具３５によってハウジング１１内に押し込まれる。この時、ハウジング１１の押さえ部１９が防水パッキン１３と干渉しない位置に退避されているので、図７（Ｂ）に示すように防水パッキン１３の係止片１６と干渉するものがない。よって、防水パッキン１３は容易にハウジング１１内に挿入され、所定位置に装着することができる。
その後、押込み治具３５が引き抜かれてから、ハウジング１１が拡開治具３１から取り外される。
【００２０】
これにより、図１に示すように係止片１６が係止孔１７内に挿入されると共に、パッキン係止部材２１が弾性作用により元の位置に復元されて押さえ部１９が係止片１６の端面側に配置される。これにより、係止片１６は係止孔１７内に確実に係止される。
【００２１】
このように防水コネクタ１は、防水パッキン１３を装着するときにパッキン係止部材２１の押さえ部１９を外側方向に退避させることができる。そのため、押さえ部１９の突出高さを大きくしても防水パッキン１３の挿入時に押さえ部１９が邪魔になることはない。
従って、押さえ部１９の突出高さを従来に比べて大きくすることができ、例え係止片１６が外側から押圧力を受けたとしても、係止孔１７から抜け外れるようなことはなくなる。また、雄型ハウジング１２を引き抜く時、係止片１６が係止孔１７から抜け出ることがないので、防水パッキン１３が外れてしまうようなこともなくなる。
【００２２】
【発明の効果】
以上説明したように本発明の防水コネクタ及び防水パッキンの装着方法においては、防水パッキンの挿入経路を構成するコネクタハウジング周壁に、係止片を押圧する押さえ部の両側に設けられたスリットにより可撓性を有し、前記係止片を押圧する押さえ部を自由端部に有し、前記防水パッキンの挿入性を良くするパッキン係止部材と、該パッキン係止部材に対向したフード部の基端部分に拡開治具用の案内溝と、が設けられている。
また、拡開治具上端の脚部に前記一方のコネクタハウジングの案内溝を合わせて押し込むことで、前記脚部先端の斜面を有する挿入部が係止片を押圧する押さえ部の治具受け部に当接して、該押さえ部近傍に設けられたパッキン係止部材を前記防水パッキンの挿入経路を拡開する方向に変位させた後、前記防水パッキンが前記押さえ部と干渉することなく前記コネクタハウジング内に押し込まれる。
【００２３】
従って、防水パッキンの挿入時に押さえ部が外側方向に変位させることができるので、防水パッキンを容易にハウジング内に挿入でき、かつ所定位置に確実に装着させることができる。よって、防水パッキンの挿入性及び装着性を著しく向上させることができるとともに、防水パッキンの未係止状態を防止することができる。
また、押さえ部の突出高さを大きくすることができるので係止片の抜け止めを確実に行なうことができるとともに、設計上も突出高さを厳密に設定する必要がないので設計上の簡略化を図ることができる。
【図面の簡単な説明】
【図１】本発明の防水コネクタの要部の部分断面図である。
【図２】図１における防水パッキンの平面図である。
【図３】図１における防水コネクタの斜視図である。
【図４】図１におけるＡ矢視図である。
【図５】装着治具の斜視図である。
【図６】防水パッキンの装着手順を示す斜視図である。
【図７】防水パッキンの装着時における作用説明図であり、（Ａ）図は装着治具の挿入開始状態、（Ｂ）図は防水パッキンの挿入状態を示す。
【図８】従来の防水コネクタの要部の部分断面図である。
【図９】従来の防水パッキンの装着状態を示す要部の拡大断面図である。
【符号の説明】
１      防水コネクタ
１１      雌型コネクタハウジング
１２      雄型コネクタハウジング
１３      防水パッキン
１４，１５  突条
１６      係止片
１７      係止孔
１９      押さえ部（抜け止め手段）
２０      スリット
２１      パッキン係止部材（変位手段）
２２      治具受け部
２３      傾斜面
３０      装着治具
３１      拡開治具
３４      挿入部
３５      押込み治具
３９      斜面
【図１】
0003685342.tif 000002
【図２】
0003685342.tif 000003
【図３】
0003685342.tif 000004
【図４】
0003685342.tif 000005
【図５】
0003685342.tif 000006
【図６】
0003685342.tif 000007
【図７】
0003685342.tif 000008
【図８】
0003685342.tif 000009
【図９】
0003685342.tif 000010